(57)【要約】【課題】寿命優先容量が設定されている場合、充電停止容量を簡易に識別することができる表示装置を提供する。【解決手段】二次電池の残量が目盛りによって表示される残量表示部と、二次電池に充電させる電力の上限容量として、満充電容量よりも少ない寿命優先容量を設定する寿命優先モード設定部と、寿命優先容量が設定された場合、目盛りとは異なる色又は形状の寿命優先目盛りによって、前記残量表示部に表示されることを特徴とする表示装置。【選択図】図１
2015139330.tif 000002
【特許請求の範囲】
【請求項１】
二次電池の残量が目盛りによって表示される残量表示部と、
二次電池に充電させる電力の上限容量として、満充電容量よりも少ない上限容量である寿命優先容量を設定する寿命優先モード設定部と、
寿命優先容量が設定された場合、目盛りとは異なる色又は形状の寿命優先目盛りによって、前記残量表示部に表示する表示装置。
【請求項２】
二次電池と、
前記二次電池の状態を表示する表示装置とを備える蓄電システムにおいて、
前記表示装置は、前記二次電池の残量を目盛りによって表示させる残量表示部と、
二次電池に充電させる電力の上限容量として、満充電容量よりも少ない寿命優先容量を設定する寿命優先モード設定部と、
寿命優先容量が設定された場合、前記目盛りとは異なる色又は形状の寿命優先目盛りによって、前記残量表示部に表示する蓄電システム。
【請求項３】
二次電池の残量が目盛りによって表示される残量表示部と、
二次電池に充電させる電力の上限容量として、満充電容量よりも少ない上限容量である寿命優先容量を設定する寿命優先モード設定部と、
寿命優先容量が設定された場合、目盛りとは異なる色又は形状の寿命優先目盛りによって、前記残量表示部に表示する表示方法。
【発明の詳細な説明】
【技術分野】
【０００１】
本発明は、二次電池の寿命優先容量を認識することができる表示装置及び蓄電システムに関する。
【背景技術】
【０００２】
近年、系統電源を補助する目的として二次電池を備えた蓄電システムが開発されている。例えば、この蓄電システムは、電力需給が過度となる期間に系統電源を補助するため、負荷側に供給される。さらに、この蓄電システムは、系統電源からの供給が停止した非常時において、負荷側に電力を供給することを目的として使用される。
【０００３】
このようなシステムにおける蓄電池は系統電源を補助することを目的とし、できる限り多くの電力を放電できることが好ましい。一方で、蓄電池は高価であるため、多くの電力を放電することよりも、蓄電池の寿命を長くしたいという要望も存在する。このような要望は満充電の容量を電池の最大容量よりも引き下げることによって、電池の充放電深度を少なくし劣化を緩和することにより実現できることが分かっている。
【０００４】
また、蓄電システムには、蓄電池の状態や、蓄電池の充放電の設定を行える表示装置を備えている。ユーザは、蓄電システムの表示装置において、この非常時に使用される最低確保容量を設定することができる。
【先行技術文献】
【特許文献】
【０００５】
【特許文献１】特開２００１‐１７７９９９号公報
【特許文献２】特開２００８‐１７８２８２号公報
【発明の概要】
【発明が解決しようとする課題】
【０００６】
従来の蓄電システムでは、ユーザが、寿命優先モードに設定されているか否かを認識するためには、図３で示す寿命優先モードが表示される設定画面にアクセスする必要があった。また、図３に示す表示装置では、ユーザが現在の二次電池の残量と設定されている寿命優先モードとの関係を確認するこができないため、蓄電システムの充電可能容量を認識するこができないという課題があった。
【０００７】
また、表示装置のサイズを変更できない場合、二次電池の残量表示部に加えて寿命優先モードの状態を表示させると、残量表示部や寿命優先モードの状態の表示を縮小することとなり視認性が悪くなるという課題があった。
【０００８】
本発明はこうした状況に鑑みなされたものであり、その目的は、蓄電システムにおける寿命優先モードの状態の設定状態と蓄電池の残量状態とを簡易に確認する技術を提供することにある。
【課題を解決するための手段】
【０００９】
本発明の表示装置は、二次電池の残量が目盛りによって表示される残量表示部と、二次電池に充電させる電力の上限容量として、電池定格の上限満充電容量よりも少ない寿命優先容量を設定する寿命優先モード設定部と、寿命優先容量が設定された場合、目盛りとは異なる色又は形状の寿命優先目盛りによって、前記残量表示部に表示する。
【００１０】
本発明の蓄電システムは、二次電池と、前記二次電池の状態を表示する表示装置とを備える蓄電システムにおいて、前記表示装置は、前記二次電池の残量を目盛りによって表示させる残量表示部と、二次電池に充電させる電力の上限容量として、電池定格の上限電容量よりも少ない寿命優先容量を設定する寿命優先モード設定部と、寿命優先容量が設定された場合、前記目盛りとは異なる色又は形状の寿命優先目盛りによって、前記残量表示部に表示する。
【００１１】
本発明の表示方法は、二次電池の残量が目盛りによって表示される残量表示部と、二次電池に充電させる電力の上限容量として、満充電容量よりも少ない上限容量である寿命優先容量を設定する寿命優先モード設定部と、寿命優先容量が設定された場合、目盛りとは異なる色又は形状の寿命優先目盛りによって、前記残量表示部に表示する。
【発明の効果】
【００１２】
本発明の表示装置及び蓄電システムでは、寿命優先モードの確認を容易に行うことができる。
【図面の簡単な説明】
【００１３】
【図１】本発明の第一の実施形態における表示装置の画面を示した図である。
【図２】本発明の第二の実施形態における表示装置の画面を示した図である。
【図３】従来例における表示装置の画面を示した図である。
【発明を実施するための形態】
【００１４】
以下、本発明の実施例を図面に基づいて説明する。ただし、以下に示す実施例は、本発明の技術思想を具体化するものであって、数値やレイアウトの形状等は、以下のものに特定しない。
【００１５】
本発明の実施の形態は、系統電源に接続される蓄電システムにおける二次電池の表示装置１に関する。蓄電システムは、産業施設、公共施設、商業施設、オフィスビル、住居などに設置される。電力会社とユーザとが最大消費電力別電気料金制度の契約を採用している場合、１日で最大となる３０分単位の消費電力量によって電気料金が決定される。したがって、最大消費電力が多いほど電気料金は、高額になるため、最大消費電力を低減することが電気料金の低減において重要である。
【００１６】
また、電力会社とユーザとが、時間帯における電気料金制度の契約を採用している場合、夜間の時間帯の電気料金は、昼間の時間帯の電気料金よりも安く設定されている。例えば、２３：００〜翌日の７：００までの電気料金が他の時間帯より安く設定される。従って夜間に系統電源から蓄電池に充電し、蓄電池に蓄えられた電力を昼間に使用することにより電気料金を抑えることができる。
【００１７】
このような蓄電システムの使用態様によって、最大消費電力の低減を行うことができ、電力会社は、電力使用量が平準化されることになる。このような蓄電システムの使用態様は、ピークカット対策と呼ばれている。  
【００１８】
この蓄電システムは、負荷に電力を供給する二次電池と、この二次電池の直流電流を交流電流に変換し又は系統電源からの交流電流を直流電流に変換する双方向インバーターと、太陽電池とで構成されている。また、太陽電池及び系統電源及び双方向インバーター及び負荷は、それぞれ交流配線によって接続されている。双方向インバーターと二次電池とは直流配線によって接続されている。
【００１９】
この蓄電システムは、上述したピークカット対策以外に、系統電源が停電したとき、蓄
えられた電力を負荷（例えば、電灯、エレベータ、コンピュータサーバなど）を動作させるためのバックアップ電源として用いられる。負荷は、系統電源の停電時にて、優先的に二次電池から電力供給を受けることができるように、予め設定された特定負荷とすることもできる。また、特定負荷以外の負荷を一般負荷とすることもできる。  
【００２０】
図１の表示装置１では、蓄電システムを構成する複数の構成要素がそれぞれ表示されている。二次電池の残量表示部２以外に、系統電源表示部５、負荷表示部６、太陽電池を表示する太陽電池表示部３、二次電池の直流電流を交流電流に変換し、系統電源からの交流電流を直流電流に変換する双方向インバーターを示す電力変換器表示部４、電力変換器と二次電池とを接続する直流配線を示す直流配線表示部８、電力変換器、系統電源、太陽電池用インバーター及び負荷とを接続する交流配線を示す交流配線表示部７が表示されており、これらの状態が表示装置１に表示される。
【００２１】
図１で示す表示装置１には、残量表示部２を含む画面が表示されている。この残量表示部２は、円筒電池の概形状で示されており、その中には１０段階の二次電池の容量を示す目盛り２１が備えられている。すなわち、電池の容量を示す目盛り２１の１つが、電池容量の１０％に対応している。残量表示部２は、１０個の目盛り２１が積層されている。なお、実施例においては、残量表示部２は１０個の目盛り２１で構成されているが、特にこの形態に限られず目盛りの数は適宜変更することができ、それに対応して一つの目盛りの電池容量に対する割合も変更される。
【００２２】
この蓄電システムに用いられえる二次電池の容量は、２０ｋＷｈであり、主に高容量かつ高出力が得られるリチウムイオン電池が使用される。一般にリチウムイオン電池は充電容量の許容範囲の限界まで充電する満充電状態または許容範囲の限界まで放電する過放電状態に近い状態が継続すると、性能が劣化し寿命が短くなることが知られているリチウムイオン電池の残量をこれら許容範囲以内に制御することで、高額なリチウムイオン電池の消耗を抑えることが重要である。
【００２３】
さらに、リチウムイオン電池は、充電容量の許容範囲の限界まで充電する満充電状態またはそれに近い状態が継続すると、充電電圧が高くなり、それによって性能が劣化し寿命が短くなることが知られている。このため、二次電池が1回の満充電状態から放電することができる容量を減少させることで、リチウムイオン電池の寿命を延ばすことを望むユーザが存在する。
【００２４】
ユーザは、蓄電システムの二次電池に充電させる電力の上限容量として、満充電容量よりも少ない上限容量である寿命優先容量を設定することができる。すなわち、放電容量を優先する場合の満充電容量と、寿命を優先する場合の寿命優先容量とのいずれかを設定する。ここで、寿命優先容量は寿命優先モードの上限容量であるため、容量優先モードの上限容量である満充電容量よりも少ない容量となる。満充電容量と寿命優先容量との具体的な設定値は、二次電池の容量や性能等を考慮して実験により定めればよい。
【００２５】
例えば、本実施形態では、満充電容量は蓄電システムの二次電池が充電可能な容量の１００％であり、寿命優先容量は二次電池の充電可能容量の９０％である。したがって、ユーザが寿命優先モードを設定している場合、満充電時が二次電池の充電可能全容量の９０％である。そのため、図１で示すように、残量表示部２において、一番上の一つの目盛り２１が破線で囲まれた寿命優先モード目盛り２４として表示される。
【００２６】
ユーザは、破線で囲まれた寿命優先モード目盛り２４を充電がなされない領域として認識できる。同時に、ユーザは、残量表示部２の下側から９つが充電可能な有効領域であることを認識できる。
【００２７】
また、図２の他の実施例では、寿命優先モード目盛り２４ａは、他の目盛り２１よりも小さい矩形状の目盛りとして表示される。これにより、ユーザは、他の目盛り２１よりも小さい矩形状の寿命優先モード目盛り２４ａを充電がなされない領域として認識できる。同時に、ユーザは、残量表示部２の下側から９つが充電可能な有効領域であることが認識できる。
【００２８】
また、図示はしないが、図１、２の形状に限らず、寿命優先モード目盛り２４と他の目盛り２１とが区別できる形状であればよく、形状や色を異なるように表示させることでユーザが識別することができる。また、寿命優先モード目盛り２４と他の目盛り２１の近傍にイラスト等を設けることで識別をすることも可能である。
【００２９】
本発明の表示装置及び蓄電システムでは、寿命優先モードに設定されているか否かを寿命優先目盛りを用いて、二次電池の残量表示部に表示することで、別途寿命優先モードの表示を設ける必要がなく、ユーザが蓄電システムの充電可能容量を一目で認識することができる。また、表示装置のレイアウトの変更を行うことなく、容易に設定された寿命優先モードを認識することができる。さらに残量目盛りと寿命優先目盛りとが異なる色又は図柄又は大きさであるため、充電可能容量を容易に認識することができる。
【００３０】
また、この蓄電システムでは、ユーザが、日常のピークカット対策として利用される充放電可能容量と、系統電源からの供給が停止した非常時において、負荷側に電力を供給することを目的として使用される最低確保容量を設定することができる。例えば、本実施例では図示はしないが、ユーザは、充放電可能容量と最低確保容量の設定を二次電池の全容量に対する割合として表示装置１の画面上で行うことができる。
【００３１】
蓄電システムの充放電可能容量について、ユーザは、日常のピークカット対策として利用される充放電可能容量を、例えば５％〜７５％の範囲とし設定することができる。充放電可能容量を最大の７５％とした場合、日中に使用される電力料金の低減をより効果的に行うことができる。
【００３２】
一方、蓄電システムの最低確保容量について、ユーザは、系統電源からの供給が停止した非常時において、負荷側に電力を供給することを目的として使用される最低確保容量を設定することができる。この最低確保容量設定手段は、ユーザによって適宜変更することができる。例えば、最低確保容量が１８ｋＷｈすなわち、二次電池の全容量の９０％の場合は、非常時におけるバックアップ電源としての容量を大きく確保することができる。
【００３３】
図１の表示装置１は、蓄電システムの構成要素である二次電池、太陽電池、系統電源、負荷、双方向インバータ、直流配線を模式的に図示した画面を提示している。図１の表示装置１では、蓄電システムを構成する要素がそれぞれ表示されている。二次電池の残量表示部２以外に、系統電源表示部５、負荷表示部６、太陽電池の接続状態及び発電出力を表示する太陽電池表示部３、二次電池の直流電流を交流電流に変換し、系統電源からの交流電流を直流電流に変換する双方向インバーターを表示する双方向インバータ表示部４が記載されており、これらの使用状態が表示装置１に表示される。
【００３４】
図１で示す表示装置１には、残量表示部２を含む画面が表示されている。この残量表示部２は、円筒電池の概形で示されており、その中には１０段階の二次電池の容量を示す目盛り２１が備えられている。すなわち、電池の容量を示す１目盛り２１の一つが、電池容量の１０％に対応している。残量表示部は、１０個の目盛り２１が積層されている。
【００３５】
また、灰色で示されている残量目盛り２２は、充放電可能容量として、日常のピークカ
ット対策として使用される二次電池の容量を示している。また、濃灰色で示されている最低確保容量は、系統電源からの供給が停止した非常時において、負荷側に電力を供給することを目的として、通常時に最低確保する二次電池の容量である。図１に示す灰色の残量目盛り２２と濃灰色の最低確保容量目盛り２３とを合わせた目盛り２１の合計が、電池残量の合計である。
【００３６】
図１に示すように、残量表示部２は、１０個の目盛り２１が積層されて表示されており、電池の残量に応じて最下段より順に残量目盛り２２が表示されている。最低確保容量目盛り２３は、設定された最低確保容量に応じて、残量目盛り２２の最下段より順に表示されている。よって、最低確保容量目盛り２３は、残量目盛り２２に重畳されて表示されている。
【００３７】
図１の表示装置１の１０個の目盛り２１からなる残量表示部２では、最上段に設けられた一つの寿命優先目盛り２４が配置されている。この設定の場合、蓄電システムは、二次電池の全容量の９０％で充電が停止する。図１の表示装置の残量表示部２は、灰色の残量目盛り２２が７つの目盛り２１として表示され、濃灰色の最低確保容量目盛り２３が２つの目盛り２１として表示されている。すなわち、この状態においては、二次電池の充電容量が全容量の９０％であることを示している。また、残量表示部２では、下側の濃灰色の最低確保容量目盛り２３が２つの目盛り２１であることから、全容量の２０％すなわち４ｋＷｈが系統電源からの供給が停止した非常時において、負荷側に電力を供給することを目的として使用される二次電池の容量である。
【００３８】
図１、図２で示されるそれぞれの表示装置１の下部には、メッセージ表示部９が設けられている。このメッセージ表示部９には、蓄電システムの各機能における状態の通知や注意喚起の通知、警告の通知等が掲示される。特に注意喚起を要するメッセージを掲示する場合は、通常時のメッセージ表示部９と比較し、メッセージ表示部９の背景色とメッセージ文との色の組み合わせを変化させるか又はメッセージ表示部９を拡大させることでユーザの注意を促すことができる。
【符号の説明】
【００３９】
１  …表示装置
２  …残量表示部
２１…目盛り
２２…残量目盛り
２３…最低確保容量目盛り
２４、２４ａ…寿命優先目盛り
３…太陽電池表示部
４  …双方向インバーター表示部
５  …系統電源表示部
６  …負荷表示部
７  …交流配線表示部
８  …直流配線表示部
９  …メッセージ表示部
【図１】
2015139330.tif 000003
【図２】
2015139330.tif 000004
【図３】
2015139330.tif 000005